(57)【特許請求の範囲】
【請求項１】
天板と、
該天板を支持する柱状の脚支柱と、
少なくとも一部が床面に当接し、前記脚支柱の前記天板の支持部より下方に取り付けられて該脚支柱を支持する脚座と、
からなるテーブルであって、
前記脚座は、前記脚支柱に結合するための手段として、
前記脚支柱に当接し、該脚支柱を両側から挟持可能な一対の挟持部と、
該一対の挟持部により前記脚支柱が挟持された状態で、該一対の挟持部を締め付けて結合するための締結手段と、
を備えたことを特徴とするテーブル。
【請求項２】
前記締結手段は、前記脚支柱を貫通しない位置で前記挟持部を結合することを特徴とする請求項１に記載のテーブル。
【請求項３】
前記脚座は２つの部材に分割されており、該分割された各部材には前記挟持部が形成されていることを特徴とする請求項１または請求項２に記載のテーブル。
【請求項４】
前記脚座を構成する部材の１つは、一部が床面に当接して前記脚支柱を支持する脚座本体であり、
他の１つの部材は、前記脚座本体との間で、前記脚支柱を挟持するための結合用部材であることを特徴とする請求項３に記載のテーブル。
【請求項５】
前記脚支柱には、前記脚座が係合される被係合部が形成されており、
前記脚座には、前記脚支柱の被係合部に係合して当該脚座を前記脚支柱の所定位置に位置決めするための係合部が形成されたことを特徴とする請求項１〜請求項４の何れかに記載のテーブル。
【請求項６】
前記脚支柱には、前記脚座が係合される被係合部が形成され、
前記結合用部材の挟持部には、
前記脚支柱の被係合部に係合して当該結合用部材を前記脚支柱の所定位置に位置決めするための係合部と、
前記脚支柱に当接する部分の両側に設けられ、前記脚座本体の挟持部と結合される連結部と、
が設けられており、
前記係合部は、前記連結部を結ぶ直線からずれた位置に配置されたことを特徴とする請求項４に記載のテーブル。
【請求項７】
前記脚支柱は前記天板の左右両側に設けられ、前記天板の支持部と反対側の端部は床面に当接されており、
前記脚座は、一端が前記脚支柱の中央部に結合され、他端が床面に当接するように下方に傾斜されていると共に、前記脚支柱と前後方向に重ならないように形成されたことを特徴とする請求項１〜請求項６の何れかに記載のテーブル。
【発明の詳細な説明】
【技術分野】
【０００１】
本発明は、天板を支持する柱状の脚支柱と、この脚支柱を支持する脚座とを備えるテーブルに関するものである。
【背景技術】
【０００２】
従来より、天板と、天板を支持する柱状の脚支柱と、この脚支柱の天板の支持部より下方に取り付けられて脚支柱を支持する脚座と、からなるテーブルが知られており、脚支柱に脚座を固定する方法としては様々なものが提案されている。
【０００３】
例えば、脚支柱及び脚座を樹脂等により一体に成型したり、また脚支柱及び脚座が金属により構成されている場合には、溶接により脚座を結合するものがある。
また例えば、脚支柱及び脚座の夫々に挿通孔を形成し、この挿通孔にリベットを挿通してかしめることにより結合したり、また、脚支柱及び脚座にねじ孔及び挿通孔の何れかを夫々形成し、ねじにより結合するものが提案されている（例えば、特許文献１等参照）。
【特許文献１】特開２００４−１２１４４１号公報
【発明の開示】
【発明が解決しようとする課題】
【０００４】
しかしながら、脚支柱と脚座とが溶接により結合されている場合には、例えば、脚座が破損したり、変形してしまったとしても、脚座を容易に取り替えたりすることはできず、修理が困難であった。また、上記提案のテーブルのように、脚座が脚支柱に対してねじにて結合されている場合には、脚座を脚支柱から取り外すことはできるけれども、結合状態をねじのみにて維持しなければならず、脚支柱及び脚座の形状や配置によっては、強度上十分とは言えないことがあった。
【０００５】
本発明はかかる課題に鑑みなされたもので、天板と、天板を支持する脚支柱と、この脚支柱を支持する脚座と、からなるテーブルにおいて、脚座と脚支柱とを確実に結合でき、しかも、容易に取り外すことができるようにすることを目的とする。
【課題を解決するための手段】
【０００６】
かかる目的を達成するためになされた請求項１に記載の発明は、
天板と、
該天板を支持する柱状の脚支柱と、
少なくとも一部が床面に当接し、前記脚支柱の前記天板の支持部より下方に取り付けられて該脚支柱を支持する脚座と、
からなるテーブルであって、
前記脚座は、前記脚支柱に結合するための手段として、
前記脚支柱に当接し、該脚支柱を両側から挟持可能な一対の挟持部と、
該一対の挟持部により前記脚支柱が挟持された状態で、該一対の挟持部を締め付けて結合するための締結手段と、
を備えたことを特徴とする。
【０００７】
このように、本発明のテーブルにおいては、脚座に一対の挟持部及び締結手段が設けられており、一対の挟持部により脚支柱が挟持された状態で、締結手段により一対の挟持部が締め付け結合される。
【０００８】
従って、本発明のテーブルによれば、挟持部の圧力により脚座と脚支柱とを結合しているので、十分な強度で確実に結合することができ、締結手段による挟持部の締め付けを解除することで、脚座を脚支柱から容易に取り外すことができる。
【０００９】
次に、請求項２に記載の発明は、請求項１に記載のテーブルにおいて、締結手段は、脚支柱を貫通しない位置で挟持部を結合することを特徴とする。
従って、請求項２に記載のテーブルによれば、締結手段としてのねじが脚支柱に貫通されないので、脚支柱にねじを貫通させるための孔を設ける必要がなく、一対の挟持部により挟持可能な任意の位置で、脚支柱と脚座とを結合することができる。
【００１０】
次に、請求項３に記載の発明は、請求項１または請求項２に記載のテーブルにおいて、脚座は２つの部材に分割されており、この分割された各部材には挟持部が形成されていることを特徴とする。
【００１１】
従って、請求項３に記載のテーブルによれば、脚座が２つの部材に分割されているので、各部材に形成された挟持部により容易に脚支柱の所定部を挟み込むことができ、脚支柱と脚座との結合を容易に行うことができる。
【００１２】
次に、請求項４に記載の発明は、請求項３に記載のテーブルにおいて、脚座を構成する部材の１つは、一部が床面に当接して脚支柱を支持する脚座本体であり、他の１つの部材は、脚座本体との間で、脚支柱を挟持するための結合用部材であることを特徴とする。
【００１３】
従って、請求項４に記載のテーブルによれば、例えば、脚座が破損したような場合でも、結合用部材はそのまま使用できるので、脚座本体を取り替えるだけで、脚座を修理することができる。
【００１４】
次に、請求項５に記載の発明は、請求項１〜請求項４の何れかに記載のテーブルにおいて、脚支柱には、脚座が係合される被係合部が形成されており、脚座には、脚支柱の被係合部に係合して当該脚座を脚支柱の所定位置に位置決めするための係合部が形成されたことを特徴とする。
【００１５】
従って、請求項５に記載のテーブルによれば、脚座の係合部と脚支柱の被係止部との係合により、脚座が脚支柱に対して位置決めされるので、組立治具等を用いることなく所定の位置に脚座を結合することができる。
【００１６】
次に、請求項６に記載の発明は、請求項４に記載のテーブルにおいて、脚支柱には、脚座が係合される被係合部が形成され、結合用部材の挟持部には、脚支柱の被係合部に係合して当該結合用部材を前記脚支柱の所定位置に位置決めするための係合部と、脚支柱に当接する部分の両側に設けられ、脚座本体の挟持部と結合される連結部と、が設けられており、係合部は、連結部を結ぶ直線からずれた位置に配置されたことを特徴とする。
【００１７】
従って、請求項６に記載のテーブルによれば、結合用部材に形成された係合部が、連結部を結ぶ直線からずれた位置に配置されているので、結合用部材を上下方向に反転させて脚支柱に係合させることで、連結部の高さ位置が変化する。よって、同じ脚支柱に対して異なる高さに脚座を結合することができる。
【００１８】
次に、請求項７に記載の発明は、請求項１〜請求項６の何れかに記載のテーブルにおいて、脚支柱は天板の左右両側に設けられ、天板の支持部と反対側の端部は床面に当接されており、脚座は、一端が脚支柱の中央部に結合され、他端が床面に当接するように下方に傾斜されていると共に、脚支柱と前後方向に重ならないように形成されたことを特徴とする。
【００１９】
従って、請求項７に記載のテーブルによれば、脚座が脚支柱の中央部から下方に傾斜されると共に、脚支柱と前後方向に重ならないように形成されているので、テーブル同士を左右にずらすことなく前後方向にスタックすることができる。例えば、脚座が、脚座本体と、結合用部材と、から構成されているような場合には、脚座本体を単純な直線状にすると共に、挟持部を左右方向に突設させることで、脚座本体は脚柱よりも外側または内側にずれて配置されるので、テーブル同士を左右にずらすことなく前後方向にスタック可能なテーブルを構成できる。
【発明を実施するための最良の形態】
【００２０】
以下に本発明の実施形態を図面と共に説明する。
図１は、本実施形態の移動机１の外観を表す斜視図、図２は、本実施形態の移動机１の側面図、図３は、脚座８の脚柱６への取付構成を示す説明図である。
【００２１】
本実施形態の移動机１は、天板２が水平な使用位置にある場合に床面に対して固定され、天板２が略垂直な収納位置にある場合に床面上を移動可能に構成されたものであり、図１及び図２に示すように、長方形の板材からなる天板２と、天板２の長手方向の両端の下方に設けられ、天板支持部２０を介して天板２を使用位置と収納位置との間で回動可能に支持すると共に、下方にキャスタ部１０を備えた一対の脚部４と、を備えている。また、天板２を使用位置または収納位置で固定するためのロック装置が設けられており、天板支持部２０に設けられた操作レバー２４を操作することにより、ロックを解除可能に構成されている。
【００２２】
以下、本発明の特徴部分である脚部４の構成について説明する。なお、以下、天板２の長手方向を移動机１の左右方向、この方向に直交する方向を前後方向とし、椅子を配置する側を移動机１の後方、反対側を移動机１の前方として説明する。
【００２３】
脚部４は、上端をやや後方に傾けて上下方向に配置される脚柱６と、端部にて脚柱６の中央部からやや下がった位置に結合され、前後方向に配置される脚座８と、から構成されている。
【００２４】
脚柱６は、断面長方形の管状の長尺部材からなり、その下端にはキャスタ本体と、取付部とからなるキャスタ部１０が設けられている。そして、脚柱６を形成する２組の対向する一対の側板の内、幅の狭い第１側板が前後方向を向くように配置されている。また、図３（ａ）に示すように、幅の広い第２側板の内、移動机１の内側に配置される側板の中央部よりもやや下方には、円形の係合孔６ａが、長手方向に直交する方向に間隔を空けて２箇所に形成されている。
【００２５】
また、脚柱６の内部には、天板２が使用位置にあるときにキャスタ１０の下方にストッパ１２を突出させて床面に当接させ、天板２が収納位置にあるときにはこのストッパ１２を床面から離間させるための図示しない制動機構が設けられている。そして、この制動機構により、天板２が使用位置にあるときに、移動机１の移動が阻止されるように構成されている。
【００２６】
脚座８は、前後方向に配置される長尺状の脚座本体１４と、脚座本体１４を脚柱６に取り付けるための脚座取付部材１６と、取付ボルト１８と、から構成されている。
脚座本体１４は、断面が長方形で、直線状の金属の棒状部材からなり、その一端が一部下方に突出されている。そして、この突出された部分には、キャスタ部１０と、床面からの高さを調整するためのアジャスタ２２とが設けられている。
【００２７】
一方、脚柱６に結合される側の端部１４ｅは、図３に示すように、移動机１の内側に向けて長円形に突出されており、突出された部分の中央部には、脚柱６と係合可能な係合溝１４ａが、脚座本体１４の長手方向と直交する向きに形成されている。そして、係合溝１４ａの幅は、脚柱６の第２側板の幅よりわずかに広く形成されており、深さは、第１側板の幅の半分の長さよりわずかに深く形成されている。そして、この係合溝１４ａの角部には、図３（ｂ）のＣ部に示すように、係合溝１４ａの底面と側面を接続する４５度の面１４ｄが形成されている。
【００２８】
さらに、長円形に突出された部分の端面には、係合溝１４ａの両側に脚座取付部材１６の一部が係合する凹部１４ｂが形成されており、各凹部１４ｂの中央部には、取付ボルト１８が螺合可能なねじ孔１４ｃが形成されている。
【００２９】
脚座取付部材１６は、脚座８の長円形の突出部分とほぼ等しい形状に形成された断面が長円形のブロックであり、その中央部には、脚柱６と係合可能な係合溝１６ａが係合溝１４ａと同じ形状で短辺方向に沿って形成されている。そして、この係合溝１６ａの両側には、脚座本体１４の凹部１４ｂに夫々係合可能な凸部１６ｂが形成されており、さらに凸部の中央部には夫々取付ボルト１８を挿通可能な挿通孔１６ｃが形成されている。ここで、凸部１６ｂは、脚座取付部材１６が係合溝１６ａにて脚柱６に係合され、脚柱６を挟んで反対側から脚座本体１４が係合された際に、凸部１６ｂの端面と、凹部１４ｂの底面との間に隙間を有する高さに形成されている。
【００３０】
また、脚座取付部材１６は、係合溝１６ａの底面の一端側が延出されており、この延出された部分には、係合溝１６ａと脚柱６とを係合させた際に、脚柱６に形成された２箇所の係合孔６ａと夫々係合可能な円形の凸部１６ｄが、係合溝１６ａの開口方向に向けて２箇所突出されている。一方、係合溝１６ａが形成された面と反対側の面には、取付ボルト１８のねじ頭を収納可能な形状のざぐり１６ｅが各挿通孔１６ｃの周囲に形成されている。
【００３１】
そして、脚座取付部材１６は、凸部１６ｄが形成された側を上方に向けて脚柱６の内側から係合溝１６ａにて脚柱６に係合されると共に、凸部１６ｄは係合孔６ａに係合される。一方、脚座本体１４は、キャスタ部１０を下方に向けて、脚柱６の外側から係合溝１４ａにて脚柱６に係合されると共に、脚座取付部材１６の凸部１６ｂは、その端面が、凹部１４ｂの底面に到達しない位置で凹部１４ｂと係合される。
【００３２】
そして、このように脚柱６が脚座本体１４と脚座取付部材１６とに挟み込まれた状態で、取付ボルト１８が、脚座取付部材１６の係合溝１６ａの両側に形成された挿通孔１６ｃに夫々挿通されると共に脚座本体１４に形成されたねじ孔１４ｃに夫々螺合されて、脚座本体１４と脚座取付部材１６とが締結される。そして、脚座本体１４と脚座取付部材１６とが締結されることにより、脚柱６は、第２側板が係合溝１４ａの底面または係合溝１６ａの底面に当接した状態で、脚座本体１４の端部１４ｅと脚座取付部材１６とに当接面を介して圧接され、脚座本体１４が脚柱６に対して直交するように結合される。
【００３３】
なお、図３（ａ）は、脚柱６と脚座８との取付部の詳細（図１のＡ部）を示す分解斜視図であり、図３（ｂ）は、脚柱６と脚座８との取付部の詳細（図２の断面Ｂ）を示す断面図である。
【００３４】
以上、説明したように、本実施形態の移動机１においては、脚柱６が、係合溝１４ａ及び係合溝１６ａに係合されることにより、脚座本体１４と脚座取付部材１６とに挟み込まれた状態で、取付ボルト１８が、脚座取付部材１６の係合溝１６ａの両側に形成された挿通孔１６ｃに夫々挿通されると共に、脚座本体１４に形成されたねじ孔１４ｃに夫々螺合されて、脚座本体１４と脚座取付部材１６とが締結される。
【００３５】
従って、本実施形態の移動机１によれば、脚柱６は、第２側板が係合溝１４ａの底面または係合溝１６ａの底面に当接した状態で、脚座本体１４の端部と脚座取付部材１６とに当接面を介して圧接されるので、脚座８を脚柱６に確実に結合することができる。また、取付ボルト１８をはずすことで、脚座本体１４の端部と脚座取付部材１６による圧接状態が解除されるので、脚座８を脚柱６から容易に取り外すことができる。また、取付ボルト１８を締結するためのねじ孔１４ｃは、係合溝１４ａの両側に設けられているので、脚柱６に取付ボルト１８を貫通させるための孔を設けることなく、脚座８を脚柱６に固定することが可能である。
【００３６】
さらに、脚座８が、脚座本体１４と、脚座取付部材１６とに分割されているので、脚座本体１４の端部と、脚座取付部材１６とで、容易に脚柱６の所定部を挟み込むことができ、既に、移動机１全体が組み立てられた後でも、脚座８の取り替えを容易に行うことができる。
【００３７】
また、本実施形態の移動机１においては、脚座取付部材１６に、脚柱６に係合させるための凸部１６ｄが形成されており、脚柱６には、脚座取付部材１６の凸部が係合される係合孔６ａが形成されているので、凸部１６ｄと、係合孔６ａを係合させることにより、脚座取付部材１６が脚柱６に対して位置決めされるので、組立治具等を用いることなく所定の位置に脚座８を結合することができる。さらに、凸部１６ｄ及び係合孔６ａは、脚柱６の長手方向に直交する方向に間隔を空けて２箇所に形成されているので、脚座取付部材１６は脚柱６に対して直交するように係合され、脚座８を脚柱６に対して直交するように結合することができる。
【００３８】
ところで、上述したように、係合孔６ａと凸部１６ｄとの係合により、脚座８の脚柱６への結合角度が決まるが、係合孔６ａと凸部１６ｄとの間には、実際にはガタが生じているために、その精度はあまり高くない。また、係合溝１６ａと脚柱６との係合によっても、ある程度の角度は決まるが、係合溝１６ａは、脚柱６の外形よりもわずかに広い幅に形成されているので、やはり、脚柱６と係合溝１６ａとが係合された際には微少なガタが生じてしまい、結合角度の精度としてはあまり高くない。
【００３９】
そこで、本実施形態の移動机１においては、結合角度の精度を上げるために、脚座本体１４の係合溝１４ａの角部に４５度の面１４ｄを形成し、取付ボルト１８が螺合され、脚座本体１４と脚座取付部材１６との締結が進むにつれて、脚柱６の角がこの面に圧接され、次第に脚柱６が脚座本体１４に対して直交するように補正されるようにしている。よって、本実施形態の移動机１によれば、組立治具を用いることなく、精度良く、脚座８を脚柱６と直交するように結合することができる。
【００４０】
一方、本実施形態の移動机１においては、脚座取付部材１６は、脚柱６の内側から係合溝１６ａにて脚柱６の中央部よりやや下方に係合されており、一方、直線状に形成された脚座本体１４は、脚柱６の外側から、係合溝１４ａにて脚柱６に係合され、脚座取付部材１６に締結されている。そして、脚座本体１４の係合溝１４ａは、脚座本体１４の端部にて、移動机１の内側に向けて長円形に突出された部分の中央部に形成されている。
【００４１】
つまり、本実施形態の移動机１では、脚座本体１４は、脚柱６よりも外側、つまり、前後方向に脚柱６と重ならない位置に配置されているので、図４に示すように、天板２が略垂直な収納位置にあるときに、移動机１同士を左右にずらすことなく前後方向にスタックすることができる。なお、図４は、移動机１を前後方向に複数スタックした状態を表す外観図である。
【００４２】
ところで、本実施形態の移動机１においては、脚座取付部材１６の脚柱６の係合孔６ａと係合する凸部１６ｄは、取付ボルト１８が挿通される挿通孔１６ｃを結ぶ直線からずれた位置に配置されているので、脚座取付部材１６を上下に反転させて脚柱６の係合孔６ａに係合させることで、挿通孔１６ｃの高さが変化する。つまり、脚座取付部材１６を上下に反転させることで、脚柱６への脚座の取付高さを変えることができる。
【００４３】
そして、この特徴を利用することにより、本実施形態の移動机１は、天板２及び脚座本体１４のみを取り替えることで、天板の大きさの異なる移動机５０を構成することが可能である。以下、移動机５０の構成について図４を用いて説明する。なお、移動机５０は、天板２及び脚座本体１４以外は移動机１と構成が同じであるため、異なる部分についてのみ説明する。図５（ａ）は、移動机５０の外観を示す側面図、図５（ｂ）は、移動机５０の結合状態を説明するための斜視図である。
【００４４】
天板５２は、天板２の後方部分を延出させ、天板２よりも前後方向の幅が広い長方形の板材から構成されており、天板支持部２０にて支持されている。
脚座本体５４は、その両端の構成は、脚座本体１４と同様に構成されており、天板５２を安定して支持できるように脚座本体１４よりも長く構成されている。
【００４５】
そして、脚座取付部材１６は、図５（ａ）及び図５（ｂ）に示すように、凸部１６ｄが形成された側を下方にして脚柱６の内側から係合溝１６ａにて脚柱６に係合されると共に、凸部１６ｄは係合孔６ａに係合される。一方、脚座本体５４は、キャスタ部１０を下方に向けて、脚柱６の外側から係合溝にて脚柱６に係合されると共に、脚座取付部材１６の凸部１６ｂは、その端面が、凹部の底面に到達しない位置で凹部と係合される。
【００４６】
そして、このように脚柱６が脚座本体５４と脚座取付部材１６とに挟み込まれた状態で、取付ボルト１８が、脚座取付部材１６の係合溝１６ａの両側に形成された挿通孔１６ｃに夫々挿通されると共に脚座本体５４に形成されたねじ孔に夫々螺合されて、脚座本体５４と脚座取付部材１６とが締結される。そして、脚座本体５４と脚座取付部材１６とが締結されることにより、脚柱６は、第２側板が各係合溝の底面に当接した状態で、脚座本体５４の端部と脚座取付部材１６とに当接面を介して圧接され、脚座本体５４が脚柱６に対して直交するように結合される。なお、脚座本体５４は、脚柱６に結合された際に、キャスタ部１０が床面に接地する長さに構成されている。
【００４７】
以上説明したように、移動机５０を構成する際には、移動机１を構成する際に、凸部１６ｄが形成された側を上方に向けて脚柱６と係合させた脚座取付部材１６を、凸部１６ｄが形成された側を下方に向けて脚柱６と係合させている。このため、脚座の結合位置が、移動机１よりも高い位置となり、脚座本体１４よりも長さの長い脚座本体５４を、脚座本体１４の結合角度と同じ角度で、しかも、脚座本体１４よりも高い位置で脚柱６に直交するように結合することができる。
【００４８】
そして、この結果、天板２及び脚座本体１４以外の部品、例えば、脚柱６、脚座取付部材１６等の部品を、移動机１、移動机５０の何れにも共通して使用できるので、部品点数を減らすことができ、ひいては、製造コストを低減することが可能となる。
【００４９】
なお、本実施形態においては、移動机１が本発明のテーブルに相当し、脚柱６が本発明の脚支柱に相当し、脚座取付部材１６が本発明の結合用部材に相当し、脚座本体１４の端部１４ｅ及び、脚座取付部材１６が本発明の挟持部に相当し、ねじ孔１４ｃ、挿通孔１６ｃ及び取付ボルト１８が本発明の締結手段に相当し、係合孔６ａが本発明の脚支柱の被係合部に相当し、凸部１６ｄが本発明の脚座の係合部または本発明の挟持部の係合部に相当し、脚座取付部材１６の挿通孔１６ｃが本発明の挟持部の結合部に相当する。
【００５０】
以上、本発明の一実施形態について説明したが、本発明は、種々の形態を採り得ることは言うまでもない。
以下、上記実施形態の変形例として、上記実施形態の脚座とは異なる脚座を用いた例について説明する。図６は、各変形例の脚座の脚柱６への取付構成を示す説明図である。
【００５１】
上記実施形態では、脚座８を脚座本体１４、脚座取付部材１６、２本の取付ボルト１８から構成したが、例えば、以下の変形例１のように、脚座本体１４と、脚座取付部材１６とを一体に構成するようにしてもよい。
【００５２】
変形例１の脚座３０は、図６（ａ）に示すように、脚座本体１４と、脚座取付部材１６とを一体に構成してフック状にし、このフック状に形成された部分で、脚柱６に係合する係合孔３０ａを構成している。そして、脚柱６は、上下何れかの方向から係合孔３０ａに挿通され、脚柱６の第２側板が、係合孔３０ａの一対の対向した面に当接される。そして、この状態で、挿通孔３０ｂが形成されたフック状の部分の端部と、ねじ孔３０ｃが形成された根元の部分とが、取付ボルト３２により締結されることにより、脚柱６が、脚座３０のフック状に形成された部分により当接面を介して圧接され、脚座３０が脚柱６に結合される。
【００５３】
なお、本変形例１において、脚座３０の端部が本発明の挟持部に相当し、挿通孔３０ｂ、ねじ孔３０ｃ、取付ボルト３２が本発明の締結手段に相当する。
また、上記実施形態では、移動机１を左右方向にずらすことなく前後方向にスタックできるようにするために、脚座本体１４の脚柱６と結合される側の端部を机の内側の方向に突出させ、脚座本体１４が、脚柱６よりも外側に位置するようにしたが、前後方向にスタックする必要が無い場合には、例えば、以下に示す変形例２のように、脚座をよりシンプルな形状に構成してもよい。
【００５４】
変形例２の脚座は、図６（ｂ）に示すように、脚座本体３４と、脚座取付部材３６と、取付ボルト３８と、から構成されている。そして、脚座本体３４は、脚柱６に結合される側の端部の左右方向の厚さが他の部分の半分になるように形成されると共に、内側を向く面に脚柱６に係合可能な係合溝３４ａが形成されている。一方、脚座取付部材３６は、脚座本体３４の薄く形成された部分を埋めるような直方体のブロック状に形成されると共に、脚座本体３４と対向する面に脚柱６に係合可能な係合溝３６ａが形成されており、上記実施形態と同様に取付ボルト３８にて、脚座本体３４と、脚座取付部材３６とが締結されている。
【００５５】
そして、このように構成された変形例２の脚座によれば、脚座本体３４と脚座取付部材３６とが締結された際には、脚柱６が脚座の左右方向の中心で挟持され、脚座本体３４が、脚柱６と前後方向に重なる位置で後方に延出されるように結合されるので、外観上シンプルな脚座とすることができる。
【００５６】
また、上記実施形態においては、脚座本体１４及び脚座取付部材１６の係合溝の底面が脚柱６の第２側板に当接されるようにし、脚柱６を左右方向から挟み込むように構成したが、変形例３のように、脚柱６を前後方向から挟み込むように脚座を構成してもよい。
【００５７】
変形例３の脚座は、図６（ｃ）に示すように、断面が長方形の直線状の棒状部材からなり、脚柱６の前方に配置される側の端面に、脚柱６の第１側板よりもわずかに広い幅で、第２側板の幅の３分の２程度の深さの係合溝４０ａが形成された脚座本体４０と、脚座本体４０と断面が同形のブロックからなり、後方に配置される側の端面に、係合溝４０ａと同じ幅の係合溝４２ａが形成された脚座取付部材４２と、取付ボルト４４と、から構成されている。なお、係合溝４２ａの深さは、脚柱６に係合させた際に、反対側の端部から係合された脚座本体４０と端面が当接しない深さに形成されている。
【００５８】
そして、脚座取付部材４２を前方から脚柱６に係合させると共に、脚座本体４０を後方から脚柱６に係合させ、脚柱６の両側で取付ボルト４４にて脚座本体４０と、脚座取付部材４２とを締結することにより、脚座本体４０が、脚柱６に結合されている。
【００５９】
また、上記実施形態及び各変形例においては、取付ボルトは、脚柱６を貫通しない位置に配置されているが、脚柱６を貫通する位置に配置してもよい。そして、この場合には、脚柱６の側板の内、各部材の係合溝に当接する側板に、予め取付ボルトを貫通可能な挿通孔を形成しておけばよい。
【００６０】
さらに、上記実施形態においては、脚柱６は、上端をやや後方に向けて上下方向に配置されるものとし、脚座８は、この脚柱６と直交するように結合されるようにしたが、この角度に限定されるものではなく、例えば、脚柱が垂直に配置されていてもよく、脚座が水平に配置されていてもよい。また、脚座と脚柱とが直交している場合には、脚柱の近傍で脚座と脚座取付部材とを締結することができるため、脚座を確実に脚柱に結合することが可能となるが、結合強度を保てる範囲であれば、脚座と脚柱は、必ずしも直交していなくてもよい。
【００６１】
また、本実施形態においては、脚柱６に係合して、脚座本体１４を脚柱６に結合する位置を決めるための係合部を脚座取付部材１６に凸部１６ｄとして設けたが、係合部は、脚座本体１４に設けてもよい。また、脚座８の形状としては種々の形状が考えられ、例えば、脚柱６と脚座８との接点が複数あるような場合には、各接点にて脚柱６を両側から挟み込んで締結させてもよく、また、１箇所のみ両側から挟み込んで締結し、他の部分に位置決め用の係合部を設けておくようにしてもよい。
【００６２】
なお、本実施形態の移動机１は、脚部にキャスタ部を備えた移動可能な机であるが、本発明は、キャスタ部のない固定机にも適用できることは言うまでもない。
【図面の簡単な説明】
【００６３】
【図１】本実施形態の移動机１の外観を表す斜視図である。
【図２】本実施形態の移動机１の側面図である。
【図３】本実施形態の脚座８の脚柱６への取付構成を示す説明図である。
【図４】本実施形態の移動机１を前後方向にスタックした状態を示す外観図である。
【図５】本実施形態の移動机５０の側面図及び斜視図である。
【図６】変形例の脚座の脚柱６への取付構成を示す説明図である。
【符号の説明】
【００６４】
１…移動机、２…天板、４…脚部、６…脚柱、６ａ…係合孔、８…脚座、１０…キャスタ部、１２…ストッパ、１４…脚座本体、１４ａ…係合溝、１４ｂ…凹部、１４ｃ…ねじ孔、１４ｄ…面、１４ｅ…端部、１６…脚座取付部材、１６ａ…係合溝、１６ｂ…凸部、１６ｃ…挿通孔、１６ｄ…凸部、１８…取付ボルト、２０…天板支持部、２２…アジャスタ、２４…操作レバー、３０…脚座、３０ａ…係合孔、３０ｂ…挿通孔、３０ｃ…ねじ孔、３２…取付ボルト、３４…脚座本体、３４ａ…係合溝、３６…脚座取付部材、３６ａ…係合溝、３８…取付ボルト、４０…脚座本体、４０ａ…係合溝、４２…脚座取付部材、４２ａ…係合溝、４４…取付ボルト、５０…移動机、５２…天板、５４…脚座本体
【図１】
0004768511.tif 000002
【図２】
0004768511.tif 000003
【図３】
0004768511.tif 000004
【図４】
0004768511.tif 000005
【図５】
0004768511.tif 000006
【図６】
0004768511.tif 000007